(57)【要約】【課題】主に各種電子機器の操作に使用される磁気検出ユニット及びこれを用いた入力装置に関し、誤検出がなく、精密な移動量の検出が可能なものを提供することを目的とする。【解決手段】９個以上の磁気検出素子２６を前後左右に配列して、磁気検出ユニット２１の検出手段２７を形成すると共に、この磁気検出ユニット２１に磁性体１２または磁石が所定間隔で埋設された操作体１１を、所定の間隙を空けて移動可能に対向配置して入力装置を構成することによって、操作体１１の細かな移動量の検出が行えるため、誤検出がなく、精密な移動量の検出が可能な磁気検出ユニット２１、及びこれを用いた入力装置を得ることができる。【選択図】図１
2010217947.tif 000002
【特許請求の範囲】
【請求項１】
複数の磁気検出素子が配列された検出手段と、これらの磁気検出素子に接続された増幅手段からなり、上記検出手段を９個以上の磁気検出素子を前後左右に配列して形成した磁気検出ユニット。
【請求項２】
請求項１記載の磁気検出ユニットに、磁性体または磁石が所定間隔で埋設された操作体を、所定の間隙を空けて移動可能に対向配置した入力装置。
【発明の詳細な説明】
【技術分野】
【０００１】
本発明は、主に各種電子機器の操作に用いられる磁気検出ユニット及びこれを用いた入力装置に関するものである。
【背景技術】
【０００２】
近年、携帯電話やパーソナルコンピュータ等の各種電子機器の高機能化や小型化が進むに伴い、これらの操作に用いられる入力装置にも、確実で多様な操作を行えるものが求められている。
【０００３】
このような従来の入力装置について、図１１を用いて説明する。
【０００４】
図１１は従来の入力装置の断面図であり、同図において、１は球状で絶縁樹脂製の操作体、２は略円盤状でフェライト等の磁石で、複数の磁石２が所定間隔で操作体１外周に埋設されている。
【０００５】
また、３は金属薄板製の上ケース、４は同じく下ケースで、上ケース３と下ケース４内にボール１が回転可能に収納されると共に、操作体１上部が上ケース３上面の開口孔から突出している。
【０００６】
そして、５は上下面に複数の配線パターン（図示せず）が形成された配線基板で、この配線基板５上面にはホール素子等の複数の磁気検出素子６が、例えば４個の磁気検出素子６が前後左右に実装され、操作体１と所定の間隙を空けて対向配置されている。
【０００７】
さらに、配線基板５上面にはマイコン等の制御手段７が形成され、この制御手段７に配線パターンを介して４個の磁気検出素子６が接続されて、入力装置が構成されている。
【０００８】
そして、このように構成された入力装置が、携帯電話やパーソナルコンピュータ等の電子機器の操作部（図示せず）に、操作体１上部を突出させて装着されると共に、制御手段７がコネクタやリード線（図示せず）等を介して、機器の電子回路（図示せず）に電気的に接続される。
【０００９】
以上の構成において、例えば機器の液晶表示素子等の表示手段（図示せず）に、氏名や曲名等の複数のメニューやカーソル（図示せず）等が表示された状態で、操作体１上部を指で前後左右方向へ回転操作すると、操作体１外周に埋設された複数の磁石２も回転し、例えば、左方向へ回転した場合には、先ず磁石２Ａが磁気検出素子６に近づき、次に磁石２Ｂが磁気検出素子６に近づく。
【００１０】
そして、磁気検出素子６がこの交互に接近し離れる複数の磁石２の磁気を検出して、制御手段７が所定のパルス信号を機器の電子回路に出力し、機器の電子回路がこのパルス信号から、操作体１の回転方向と回転角度を検出し、機器の表示手段に表示されたメニュー上のカーソル等を、例えば、左方向へ移動させる。
【００１１】
なお、操作体１を右方向や前後方向、あるいはこれらとは中間の斜め方向へ回転操作した場合も、同様に、制御手段７からパルス信号が出力され、電子回路が操作体１の回転方向と回転角度を検出して、カーソル等が右方向や上下方向、あるいは斜め方向へ移動する。
【００１２】
つまり、機器の表示手段を見ながら、操作体１を所定方向へ回転操作することによって、表示手段に表示されたカーソル等を所定方向へ移動させて、メニューの選択等が行えるように構成されているものであった。
【００１３】
なお、この出願の発明に関連する先行技術文献情報としては、例えば、特許文献１が知られている。
【特許文献１】特開２００４−５０９１号公報
【発明の開示】
【発明が解決しようとする課題】
【００１４】
しかしながら、上記従来の入力装置においては、４個の磁気検出素子６を用いて操作体１の前後及び左右方向の回転方向と回転角度を検出しているため、粗い回転角度しか検出できず、限られた入力装置の大きさのなかで細かな回転角度の検出を行うために、多くの磁気検出素子６を操作体１下方に対向配置するにも限界があり、誤差も生じ易く、精密な回転角度の検出を行うことが困難であるという課題があった。
【００１５】
本発明は、このような従来の課題を解決するものであり、誤検出がなく、精密な移動量の検出が可能な磁気検出ユニット、及びこれを用いた入力装置を提供することを目的とする。
【課題を解決するための手段】
【００１６】
上記目的を達成するために本発明は、以下の構成を有するものである。
【００１７】
本発明の請求項１に記載の発明は、検出手段を９個以上の磁気検出素子を前後左右に配列して形成すると共に、これらの磁気検出素子に増幅手段を接続して磁気検出ユニットを構成したものであり、操作体の移動量や移動方向の検出を行う際、所定寸法内に一体に形成された９個以上の磁気検出素子によって、操作体の細かな移動量の検出が行えるため、誤検出がなく、精密な移動量の検出が可能な磁気検出ユニットを得ることができるという作用を有する。
【００１８】
請求項２に記載の発明は、請求項１記載の磁気検出ユニットに、磁性体または磁石が所定間隔で埋設された操作体を、所定の間隙を空けて移動可能に対向配置して入力装置を構成したものであり、誤検出がなく、操作体の精密な移動量の検出が可能な入力装置を実現することができるという作用を有する。
【発明の効果】
【００１９】
以上のように本発明によれば、誤検出がなく、精密な移動量の検出が可能な入力装置を実現することができるという有利な効果が得られる。
【発明を実施するための最良の形態】
【００２０】
以下、本発明の実施の形態について、図１〜図１０を用いて説明する。
【００２１】
なお、これらの図面は構成を判り易くするために、部分的に寸法を拡大して表している。
【００２２】
（実施の形態）
図１は本発明の一実施の形態による入力装置の断面図、図２は同分解斜視図であり、同図において、１１は球状でＡＢＳやポリカーボネート、ウレタン等の絶縁樹脂製の操作体、１２はパーマロイや鉄、Ｎｉ−Ｆｅ合金等の磁性体で、略球状の中核部１３から略円柱状の複数の、例えば２４個の突起部１４が外周に向けて所定間隔で放射状に突出して、磁性体１２が形成されると共に、この磁性体１２が操作体１１内に埋設されている。
【００２３】
また、１５は鋼等の金属薄板製の上ケース、１６は同じく下ケースで、上ケース１５と下ケース１６内に操作体１１が回転可能に収納されると共に、操作体１１上部が上ケース１５上面の開口孔から突出している。
【００２４】
そして、１７は略板状でゴムやエラストマー等のカバー、１８はポリブチレンテレフタレートやポリスチレン等の絶縁樹脂製の揺動体で、操作体１１を収納した上ケース１５と下ケース１６が、カバー１７を介して揺動体１８上面に載置されている。
【００２５】
また、１９はポリイミドやポリエチレンテレフタレート、ポリカーボネート等のフィルム状のフレキ基板で、上下面にはカーボンや銀、銅箔等によって複数の配線パターン（図示せず）が形成されると共に、操作体１１下方のフレキ基板１９上面には、略円筒状でフェライトやＮｄ−Ｆｅ−Ｂ合金等の略円筒状の磁石２０が、例えばＮ極を上方向、Ｓ極を下方向にして載置されている。
【００２６】
さらに、磁石２０内周のフレキ基板１９上面には、磁束を検出する磁気検出ユニット２１が実装され、この磁気検出ユニット２１が操作体１１と所定の間隙を空けて対向配置されると共に、磁気検出ユニット２１周囲のフレキ基板１９には、略Ｕ字状の切欠部１９Ａが形成されている。
【００２７】
そして、２２はプッシュスイッチ等のスイッチ接点で、フレキ基板１９上面の右方に実装されて操作体１１の下方に配置されると共に、上方へ突出した押釦部２２Ａ上面には揺動体１８右端の押圧部１８Ａ下面が当接している。
【００２８】
また、２３は鋼や銅合金等の金属薄板製の枠体で、この枠体２３が上ケース１５と固着されて、下ケース１６に収納された操作体１１や揺動体１８等が所定位置に保持されると共に、上面に載置されたフレキ基板１９と同様に、磁気検出ユニット２１周囲の枠体２３には、略Ｕ字状の切欠部２３Ａが形成され、磁気検出ユニット２１上面が下ケース１６下面に弾接している。
【００２９】
さらに、２４は紙フェノールやガラス入りエポキシ等の配線基板で、上下面にはカーボンや銅箔等によって複数の配線パターン（図示せず）が形成されると共に、この配線基板２４上面に揺動体１８左端の支点部１８Ｂ下面が揺動可能に当接している。
【００３０】
そして、２５はマイコン等の制御手段で、フレキ基板１９上面に実装され、この制御手段２５に配線パターンを介して、磁気検出ユニット２１やスイッチ接点２２が接続されて、入力装置が構成されている。
【００３１】
また、図３は上記のような磁気検出ユニット２１のブロック回路図であり、同図において、２６は垂直方向の磁気を検出するホール素子や、水平方向の磁気を検出するＧＭＲ素子等の磁気検出素子で、９個以上の、例えば１６個の磁気検出素子２６が前後左右に等間隔に配列されて、検出手段２７が形成されている。
【００３２】
さらに、２８はＦＥＴ等から形成された増幅手段で、この増幅手段２８に複数の磁気検出素子２６が各々接続されると共に、これらをエポキシ等の絶縁樹脂が覆い、一体に樹脂モールドパッケージされて、磁気検出ユニット２１が構成されている。
【００３３】
なお、この操作体１１に対向配置された磁気検出ユニット２１の１６個の磁気検出素子２６の間隔と、操作体１１内に埋設された磁性体１２の２４個の突起部１４の間隔は、図４（ａ）の部分平面図に示すように、４個の突起部１４が対向した場合にも、図４（ｂ）に示すように３個の突起部１４が対向した場合にも、１６個の磁気検出素子２６のいずれかが、各々の突起部１４の磁気を検出可能なように配列された間隔となっている。
【００３４】
つまり、操作体１１が前後左右のいずれの方向へ回転操作された場合にも、下方へ突出した４個または３個の突起部１４が、常に磁気検出ユニット２１の１６個の磁気検出素子２６のいずれかと、所定の間隙で対向するような間隔に形成されている。
【００３５】
そして、このように構成された入力装置が、携帯電話やパーソナルコンピュータ等の電子機器の操作部（図示せず）に、操作体１１上部を突出させて装着されると共に、制御手段２５がコネクタやリード線（図示せず）等を介して、機器の電子回路（図示せず）に電気的に接続される。
【００３６】
以上の構成において、例えば機器の液晶表示素子等の表示手段（図示せず）に、氏名や曲名等の複数のメニューやカーソル（図示せず）等が表示された状態で、操作体１１上部を指で前後左右方向へ回転操作すると、操作体１１内に埋設された磁性体１２も回転し、例えば、図５の部分断面図や図６（ａ）の部分平面図に示すように、操作体１１を左方向へ回転した場合には、磁性体１２の突起部１４Ａが磁気検出ユニット２１左端の磁気検出素子２６Ａに近づく。
【００３７】
そして、この磁気検出ユニット２１外周に配置された略円筒状の磁石２０の磁気を、磁石２０に最も近い突起部１４Ｂから中核部１３、突起部１４Ａを介して左端の磁気検出素子２６Ａが検出する。
【００３８】
また、このまま操作体１１を左方向へ回転すると、突起部１４Ａがほぼ真上の回転角度に来た時に、磁気検出素子２６Ａが検出する磁束密度が最も大きくなり、この後は突起部１４Ａが右方向へ離れて検出する磁気が小さくなっていくため、磁気検出素子２６Ａからは、図７（ａ）の波形図に示すような、電圧信号ＬＡが出力される。
【００３９】
さらに、このまま操作体１１を左方向へ回転し続けると、突起部１４Ａが磁気検出素子２６Ｂに近づき、図６（ｂ）に示すような、突起部１４Ａが磁気検出素子２６Ａと２６Ｂの中間の回転角度に来た時には、この突起部１４Ａからの磁気を、磁気検出素子２６Ａと２６Ｂの両方が検出する。
【００４０】
また、この後も同様に左方向へ回転し続けると、図６（ｃ）に示すように、磁気検出素子２６Ｂと２６Ｃ、磁気検出素子２６Ｃと２６Ｄというように、突起部１４Ａからの磁気を各々一組の磁気検出素子が検出し、磁気検出素子２６Ｂからは、図７（ｂ）に示すような電圧信号ＬＢが、磁気検出素子２６Ｃからは図７（ｃ）に示す電圧信号ＬＣが、磁気検出素子２６Ｄからは図７（ｄ）に示す電圧信号ＬＤが各々出力される。
【００４１】
そして、これらの等間隔に配列された磁気検出素子２６Ａ〜２６Ｄからの電圧信号ＬＡ〜ＬＤに応じて、図８（ａ）〜（ｄ）の波形図に示すような、位相差のあるパルス信号ＮＡ〜ＮＤが、制御手段２５から機器の電子回路へ各々出力され、隣接する２つの磁気検出素子のパルス信号によって、突起部１４Ａの回転角度の検出が行われる。
【００４２】
つまり、突起部１４Ａの回転角度がθ１〜θ３の間は、磁気検出素子２６Ａと２６Ｂのパルス信号ＮＡとＮＢによって、パルス信号ＮＡがオンの１で、パルス信号ＮＢがオフの０ならば突起部１４Ａの回転角度はθ１、パルス信号ＮＡもＮＢも１ならば回転角度はθ２、パルス信号ＮＡが０でパルス信号ＮＢが１ならば回転角度はθ３というように、突起部１４Ａの回転角度が検出される。
【００４３】
また、同様に、突起部１４Ａの回転角度がθ２〜θ４の間は、磁気検出素子２６Ｂと２６Ｃのパルス信号ＮＢとＮＣによって、回転角度がθ３〜θ５の間は磁気検出素子２６Ｃと２６Ｄのパルス信号ＮＣとＮＤによって、突起部１４Ａの回転角度の検出が各々行われる。
【００４４】
さらに、この時、磁気検出素子２６Ａのパルス信号ＮＡが先に０から１となり、次に磁気検出素子２６Ｂのパルス信号ＮＢが、続いて磁気検出素子２６Ｃ、２６Ｄが順次０から１に立ち上がることによって、突起部１４Ａが左方向へ回転操作されたことが検出される。
【００４５】
そして、機器の電子回路がこれらの隣接した一組ずつの磁気検出素子の位相差のあるパルス信号から、その立ち上がりによって操作体１１の回転方向を、各々のパルス信号の０と１の組み合わせから操作体１１の回転角度を各々検出し、機器の表示手段に表示されたメニュー上のカーソル等を、例えば左方向へ回転角度分だけ移動させる。
【００４６】
なお、操作体１１を右方向や前後方向、あるいはこれらとは中間の斜め方向へ回転操作した場合にも、例えば前方向へ回転操作した場合には、図６（ｄ）に示すように、磁気検出素子２６Ａと２６Ｂ、及びこれらと隣接する磁気検出素子２６Ｅと２６Ｆの一組ずつのパルス信号によって、同様に操作体１１の回転方向と回転角度の検出が行われ、カーソル等が右方向や上下方向、あるいは斜め方向へ移動する。
【００４７】
また、カーソル等が所望のメニュー上に位置した状態で、操作体１１上部を押圧操作すると、揺動体１８が配線基板２４上面に当接した支点部１８Ｂを支点として揺動し、右端の押圧部１８Ａ下面が押釦部２２Ａを押圧してスイッチ接点２２の電気的接離が行われ、これを制御手段２５が検出して、電子回路に所定の信号が出力され、例えば、メニューの確定や次メニューの表示等が行われる。
【００４８】
つまり、機器の表示手段を見ながら、操作体１１を所定方向へ回転操作することによって、表示手段に表示されたカーソル等を所定方向へ移動させて、メニューの選択を行うと共に、操作体１１を押圧操作することによって、メニューの確定や次メニューの表示等が行えるように構成されている。
【００４９】
そして、この時、上記のように９個以上の、例えば１６個の磁気検出素子２６を前後左右に配列して、磁気検出ユニット２１の検出手段２７を形成すると共に、この磁気検出ユニット２１に磁性体１２が埋設された操作体１１を、所定の間隙を空けて対向配置して入力装置を構成することによって、操作体１１の細かな回転角度の検出が可能となり、誤検出がなく、精密な回転角度の検出が行えるようになっている。
【００５０】
すなわち、上述したように、前後左右に配列された１６個の磁気検出素子２６の、例えば磁気検出素子２６Ａと２６Ｂ、磁気検出素子２６Ｃと２６Ｄというように、隣接した一組ずつの磁気検出素子２６の位相差のあるパルス信号から、操作体１１の回転方向と回転角度の検出を行うことで、誤差が少なく、精密な回転角度の検出が可能なように構成されている。
【００５１】
なお、以上の説明では、１６個の磁気検出素子２６を前後左右に等間隔に配列した構成について説明したが、９個の磁気検出素子２６を等間隔に配列した構成としても、隣接した一組ずつの磁気検出素子２６によって、位相差のあるパルス信号が得られるため、４個の磁気検出素子によって回転角度の検出を行う場合に比べ、精密な回転角度の検出を行うことが可能である。
【００５２】
さらに、２５個の磁気検出素子２６、あるいはこれ以上の数の磁気検出素子２６を前後左右に等間隔に配列し、これらを増幅手段２８に接続して所定寸法内に一体に形成した構成とすれば、より誤差のない、精密な回転角度の検出が可能となる。
【００５３】
また、等間隔に配列された複数の磁気検出素子２６の、隣接した一組ずつの磁気検出素子２６によって回転角度の検出を行う際、操作体１１は球状であるため、例えば図５に示すように、中央に配列された磁気検出素子２６Ｂと２６Ｃは操作体１１との間隙が小さく、左右端の磁気検出素子２６Ａ２６Ｄは間隙が大きくなっており、各々が検出する突起部１４の磁気の大きさにはばらつきが生じる。
【００５４】
したがって、左右端は磁気検出素子２６Ａと２６Ｄが検出する、例えば突起部１４Ａの磁束密度は実際には、図７に示すように、中央の磁気検出素子２６Ｂと２６Ｃの電圧信号ＬＢやＬＣに比べ、電圧信号ＬａやＬｄのように小さなものとなるが、各磁気検出素子２６に接続された増幅手段２８によって、このばらつきをなくし、誤検出がない精密な回転角度の検出を行うことができる。
【００５５】
つまり、左右端に配列された磁気検出素子２６Ａや２６Ｄ等からの電圧信号ＬａやＬｄ等を、中央に配列された磁気検出素子２６Ｂや２６Ｃ等に比べ、増幅手段２８で大きく増幅することによって、磁気検出ユニット２１からは均等な大きさの電圧信号ＬＡやＬＢ、ＬＣ、ＬＤが出力されるようになっている。
【００５６】
また、以上の説明では、１６個の磁気検出素子２６を前後左右に、等間隔に配列して磁気検出ユニット２１を形成した構成について説明したが、図９（ａ）の部分断面図に示すように、磁気検出ユニット２１と操作体１１の外形がほぼ同じ場合、例えば操作体１１を左方向へ回転した際、突起部１４Ａの磁気を中央の磁気検出素子２６Ｃが検出した後、この突起部１４Ａが図９（ｂ）に示す角度まで回転する間は、突起部１４Ａの磁気を等間隔に配列された右端の磁気検出素子２６Ｄが検出する。
【００５７】
なお、この時、操作体１１のほぼ真下にあり、操作体１１外周との間隙が小さな中央の磁気検出素子２６Ｃからは、図１０（ａ）の波形図に示すような電圧信号ＬＣが出力されるが、中央の磁気検出素子２６Ｂや２６Ｃと同じ間隔で配列され、操作体１１外周との間隙が大きな右端の磁気検出素子２６Ｄからは、図１０（ｂ）に示すような、検出範囲は大きいが電圧は小さな電圧信号Ｌｏが出力される。
【００５８】
そして、これらの電圧信号に応じて制御手段２５から、図１０（ｃ）に示すようなパルス信号ＮＣと、図１０（ｄ）に示すようなパルス信号Ｎｏが出力されるが、磁気検出素子２６Ｄからのパルス信号Ｎｏは、磁気検出素子２６Ｃからのパルス信号ＮＣに比べ、位相差はあるが幅の異なるパルス波形となってしまう。
【００５９】
これに対し、図９（ｃ）に示すように、中央の磁気検出素子２６Ｂと２６Ｃの間隔に比べ、左右端の磁気検出素子２６Ａと２６Ｄの間隔を小さくし、内方へ寄せて磁気検出ユニット２１を形成することによって、右端の磁気検出素子２６Ｄからは、図１０（ｅ）に示すような電圧信号ＬＤが出力され、図１０（ｆ）に示すような、磁気検出素子２６Ｃのパルス信号ＮＣと同じ幅で位相差のある、パルス信号ＮＤが出力されるようにすることができる。
【００６０】
すなわち、操作体１１と磁気検出ユニット２１の外形寸法に応じて、複数の磁気検出素子２６を、異なる間隔で前後左右に配列することによって、隣接した一組ずつの磁気検出素子２６から、同じ幅で位相差のあるパルス信号が得られるため、誤差がなく確実な回転角度の検出を行うことが可能となる。
【００６１】
さらに、中央に配列された磁気検出素子２６Ｂや２６Ｃ等には制御手段２５から常に電源を供給するが、前後左右端の磁気検出素子２６Ｂや２６Ｃ、２６Ｅ、２６Ｆ等には電源を供給せず、操作体１１が回転操作され、中央の磁気検出素子２６Ｂや２６Ｃ等が磁気を検出した場合にのみ、外方の磁気検出素子２６Ｂや２６Ｃ等にも電源を供給して回転角度を検出する、いわゆるスリープ機能を設けることで、電池等の電源の消耗を防ぎ、省電力化を図ることができる。
【００６２】
なお、以上の説明では、２４個の突起部１４が所定間隔で放射状に突出した磁性体１２を操作体１１内に埋設し、この外周に略円筒状の磁石２０を配置した構成について説明したが、磁石２０をなくし、磁性体を磁石とした構成や、あるいは背景技術の項で説明したような、複数の磁石を所定間隔で操作体外周に埋設した構成としても、本発明の実施は可能である。
【００６３】
また、複数の磁気検出素子２６が前後左右に配列された検出手段２７を、増幅手段２８に接続して磁気検出ユニット２１を形成すると共に、これを制御手段２５に接続して回転角度の検出を行う構成について説明したが、制御手段２５を磁気検出ユニット２１内に一体に設け、これらを樹脂モールドパッケージ化した構成とすることによって、より簡易で安価に入力装置を形成することができる。
【００６４】
さらに、以上の説明では、９個以上の磁気検出素子２６を配列した磁気検出ユニット２１によって、球状の操作体１１の回転方向と回転角度を検出する構成について説明したが、外周に磁性体や磁石が埋設された円柱状の操作体の回転や、下面に磁性体や磁石が埋設された矩形状の操作体の前後左右への移動、あるいは円弧状の操作体の揺動といった、様々な形状の操作体の移動方向と移動量を、磁気検出ユニット２１によって検出する構成においても、本発明の実施は可能である。
【００６５】
このように本実施の形態によれば、９個以上の磁気検出素子２６を前後左右に配列して、磁気検出ユニット２１の検出手段２７を形成すると共に、この磁気検出ユニット２１に磁性体１２または磁石が所定間隔で埋設された操作体１１を、所定の間隙を空けて移動可能に対向配置して入力装置を構成することによって、操作体１１の細かな移動量の検出が行えるため、誤検出がなく、精密な移動量の検出が可能な磁気検出ユニット２１、及びこれを用いた入力装置を得ることができるものである。
【産業上の利用可能性】
【００６６】
本発明による磁気検出ユニット及びこれを用いた入力装置は、誤検出がなく、精密な移動量の検出が可能なものを実現できるという有利な効果を有し、主に各種電子機器の操作用として有用である。
【図面の簡単な説明】
【００６７】
【図１】本発明の一実施の形態による入力装置の断面図
【図２】同分解斜視図
【図３】同磁気検出ユニットのブロック回路図
【図４】同部分平面図
【図５】同部分断面図
【図６】同部分平面図
【図７】同波形図
【図８】同波形図
【図９】同部分断面図
【図１０】同波形図
【図１１】従来の入力装置の断面図
【符号の説明】
【００６８】
１１  操作体
１２  磁性体
１３  中核部
１４、１４Ａ  突起部
１５  上ケース
１６  下ケース
１７  カバー
１８  揺動体
１８Ａ  押圧部
１８Ｂ  支点部
１９  フレキ基板
１９Ａ、２３Ａ  切欠部
２０  磁石
２１  磁気検出ユニット
２２  スイッチ接点
２２Ａ  押釦部
２３  枠体
２４  配線基板
２５  制御手段
２６、２６Ａ、２６Ｂ、２６Ｃ、２６Ｄ、２６Ｅ、２６Ｆ  磁気検出素子
２７  検出手段
２８  増幅手段
【図１】
2010217947.tif 000003
【図２】
2010217947.tif 000004
【図３】
2010217947.tif 000005
【図４】
2010217947.tif 000006
【図５】
2010217947.tif 000007
【図６】
2010217947.tif 000008
【図７】
2010217947.tif 000009
【図８】
2010217947.tif 000010
【図９】
2010217947.tif 000011
【図１０】
2010217947.tif 000012
【図１１】
2010217947.tif 000013